(57)【要約】【課題】本発明は、居室あるいは厨房室等の物品収納家具に用される収納ラック体が格納位置と使用位置間で可動してなる収納装置に関し、キャビネット全体の収納容積効率を向上させ、かつ収納作業性ならびにキャビネットの外観意匠性をも向上させることを課題とするものである。【解決手段】キャビネット２１内にあって、主たる収納区画部となる昇降式収納装置のラック体２３の動作機構および動作軌跡範囲外に、キャビネット外面に開放する副収納区画部２９を備え、この区画部２９に格納位置と使用位置間を往復動作する収納容器体３１を備えているので、主たる昇降式収納装置のデッドスペ−スを利用し収納容積効率が向上し、さらに収納作業性に良好な可動式の収納容器を附加して備え、利便性が向上するという効果がある。【選択図】  図１
2005034309.tif 000002
【特許請求の範囲】
【請求項１】
前面開口部を備えたキャビネット内に、収納ラック体と、前記収納ラック体を格納位置と使用位置の間で回動自在に支持する支持ユニットを備え、前記収納ラック体の回動軌跡範囲外に副収納区画部を設け、前記副収納区画部は前記前面開口とは別に設けた副収納開口から物品の収納を行う収納家具装置。
【請求項２】
複数の異なる幅寸法あるいは異なる収納機能の副収納区画部を備えたキャビネットが隣接配置された場合に、双方の副収納区画部が外観上直線的に並列するように副収納区画部を配した請求項１に記載の収納家具装置。
【請求項３】
キャビネットに形成した副収納区画部に、支持案内ガイド、あるいは軸枢支された回動支持ア−ムもしくはリンク機構により、出し入れ自在になる略箱体の収納容器体もしくは機器装置の支持基部を備えた請求項１または２に記載の収納家具装置。
【請求項４】
キャビネットに形成した副収納区画部に備えた収納容器体もしくは機器装置の出し入れ動作の方向が前後反転するように組み替え可能な請求項３に記載の収納家具装置。
【請求項５】
キャビネットに形成した副収納区画部に備えた収納容器体もしくは機器装置の一面は、キャビネット内に格納閉成時に、キャビネットの外面とほぼ同一面を形成する請求項３または４に記載の収納家具装置。
【請求項６】
キャビネットに形成した副収納区画部に、棚体もしくは該副収納区画部を覆う開閉自在になる蓋体のいずれかもしくは両方を備えた請求項１または２に記載の収納家具装置。
【請求項７】
キャビネットに形成した副収納区画部に、棒状体の物品懸垂掛け具を備えた請求項１または２に記載の収納家具装置。
【請求項８】
キャビネットに形成した副収納区画部に設けた出し入れ自在になる略箱体の収納容器体もしくは機器装置の支持基部は、開動作時に、所定の動作範囲にあって制動されてなるか、もしくは、開あるいは閉動作時に、所定の動作範囲にあって付勢制御される可動機構を備えた請求項３〜５のいずれか１項に記載の収納家具装置。
【請求項９】
キャビネットに形成した副収納区画部に設けた出し入れ自在になる略箱体の収納容器体もしくは機器装置の支持基部は、閉成時に、ラッチ係止される請求項３〜５のいずれか１項に記載の収納家具装置。
【発明の詳細な説明】
【０００１】
【発明の属する技術分野】
本発明は、住宅居室や厨房室等にあって、特に収納ラック体が使用位置と格納位置の間で回動自在に昇降させる収納家具装置に関するものである。
【０００２】
【従来の技術】
従来のこの種の収納家具装置として近年富に多く見られるものとしては、一般的にに示すように、キャビネットおよびその扉体の内部に設けられた物品収納装置の収納ラック体は、これを自由端部に支持して垂直方向への回動動作によって、収納ラック体を使用位置と格納位置間で可動昇降させる２本の支持アームよりなる一対の平行リンク機構に支持されている（例えば、特許文献参照。）。
【０００３】
図１７に示すように、キャビネット１およびその扉体２の内部に設けられた物品収納装置の収納ラック体３は、前記の支持ア−ム４により枢支された左右一対の略平板状の側板部３ａと、底部から背部に到る略Ｌ形の単一板金部材により形成された主要部３ｂを締結組み合わせし、その内部には、前面部に立ち上がり部を有した略平板網棚状の収納棚３ｃと、この収納棚３ｃの前面に物品落下防止用のガード体３ｄおよび前記主要部３ｂの前面部ガード体３ｅと、収納ラック体３の左右方向の剛性を高めるための線材からなる補強連結部材６と、さらに前面下部には、管状部材で形成したハンドル部７を左右両側板３ａ間で固定して構成されている。
【０００４】
また、平行リンク機構５の固定端側は、収納ラック体３の急激な下降動作を緩衝するダンパ−機構（図示せず）および、収納ラック体３を上昇動作させる場合に、身体負荷を軽減させる目的でバネによる付勢機構（図示せず）が基台ケ−ス８に内蔵されている。
【０００５】
さらに、収納ラック体３が格納状態にあって、収納ラック体３の下方とキャビネット１の底面１ａとの間に設けた仕切部材９を隔てて、扉体２側へ引き出し自在な物品収納容器１０が備えられている。
【０００６】
この収納家具装置を組み込んだキャビネット１は、建築躯体の壁面１１に設置固定された吊戸棚をなし、その下方には流し台および調理台キャビネット１２が建築躯体の床面１３に設置固定され厨房装置を形成している
。
【０００７】
【特許文献１】
特開２００１−３７５５４号公報
【０００８】
【発明が解決しようとする課題】
しかしながら上記従来の収納家具装置では、直方体で形成されるキャビネット内で、一軸を枢支した回転ア−ムによって収納ラック体の回動動作軌跡を形成するので、収納ラックが格納された状態においての収納ラック体下部、収納ラック体と支持ユニット間、あるいは平行リンク機構の固定端側基台ケ−ス部の上方空間等にデッドスペ−スとなる部分が必然的に発生することとなり、収納効率が悪くなるという課題があった。
【０００９】
また、従来の収納家具装置では、収納ラック体の下方に設けた収納容器は、収納キャビネットの扉体の内側に配されており、収納容器に納めた物品の取り出しの都度、扉体の開閉が必要となり収納性に劣るものであった。
【００１０】
【課題を解決するための手段】
本発明は上記課題を解決するため、本発明の収納家具装置は、キャビネットの主たる収納時使用面以外の面に、前記キャビネットの外側から内側に向けて凹陥部を形成して副収納区画部を設けたものである。さらに、前記の副収納区画部は、収納ラックを格納位置と使用位置との間で回動自在にしてなるキャビネット内にあって、前記収納ラックの回動軌跡範囲外に位置してなるものである。
【００１１】
上記発明によれば、前記の副収納区画部は、収納家具装置内のデッドスペ−ス空間を用いて収納部として使用されるとともに、キャビネットの外部より直接物品の出し入れが可能になるため、収納容積が増加するとともに、出し入れ収納性が向上することにより一層収納効率を高めることができる。
【００１２】
【発明の実施の形態】
本発明の請求項１にかかる収納家具装置は、前面開口部を備えたキャビネット内に、収納ラック体と、前記収納ラック体を格納位置と使用位置の間で回動自在に支持する支持ユニットを備え、前記収納ラック体の回動軌跡範囲外に副収納区画部を設け、前記副収納区画部は前記前面開口とは別に設けた副収納開口から物品の収納を行う副収納区画部を備えたものである。
【００１３】
そして、前記の副収納区画部は、収納ラック体の回動軌跡範囲外にあって収納キャビネットのデッドスペ−スに相当する部分に位置するため、キャビネット全体の収納容積を向上させ、さらに収納ラック体操作に支障なく、主たる収納区画以外に、キャビネット外面から直接物品の取り出し収納が出来る収納区画を別途設けることにより、主たる収納区画に収納する物品とは異なる種類の物品の整理取り出し収納性を向上させ、また主たる収納区画の物品の収納作業性を阻害することなく機器装置をコンパクトに組み込み、キャビネット全体の見栄えをすっきりさせることができる。
【００１４】
本発明の請求項２にかかる収納家具装置は、複数の異なる幅寸法あるいは異なる収納機能の副収納区画部を備えたキャビネットが隣接配置された場合に、双方の副収納区画部が外観上直線的に並列するように副収納区画部を配したものである。
【００１５】
そして、前記の副収納区画部は、例えばシステムキッチン等の厨房用収納家具のように複数のキャビネットが並列して設置された場合に、作業側からいずれも同等の距離に配置することが可能で、収納性が良好となり、また外観上見栄えが良好となる。
【００１６】
本発明の請求項３にかかる収納家具装置はキャビネットに形成した副収納区画部に、支持案内ガイド、あるいは軸枢支された回動支持ア−ムもしくはリンク機構により、出し入れ自在になる略箱体の収納容器体もしくは機器装置の支持基部を備えたものである。
【００１７】
そして、前記の副収納区画部は、収納容器体もしくは機器装置の可動機構を有するので、使用時と格納時で出し入れ自在となり、より手元へ収納物品を引き寄せることで作業性が向上し、また機器装置の方向が任意に設定できるため機能性が高まり、さらには収納容器体あるいは機器装置の格納時は、キャビネットと一体化されてコンパクトになるため、外観上の見栄えが良好となる。
【００１８】
本発明の請求項４にかかる収納家具装置はキャビネットに形成した副収納区画部に備えた収納容器体もしくは機器装置の出し入れ動作の方向が前後反転するように組み替え可能としたものである。
【００１９】
そして、前記の副収納区画部に備えた収納容器体もしくは機器装置は、使用者に最適な方向に選択自在に正面方向を決定することが可能となり、また、キャビネットの設置後にこの選択が可能となり、収納容器体の利便性がさらに向上する。
【００２０】
本発明の請求項５にかかる収納家具装置はキャビネットに形成した副収納区画部に備えた収納容器体もしくは機器装置の一面は、キャビネット内に格納閉成時に、キャビネットの外面とほぼ同一面を形成するものである。
【００２１】
そして、前記の副収納区画部に備えた収納容器は、この格納時にキャビネット面と一体的になり外観上の見栄えが優れて成るとともに、収納容器体がキャビネット内へ完全に埋没する形態となるため、収納容器体の密閉性も良好であり塵埃の侵入防止についてもより好適である。
【００２２】
本発明の請求項６にかかる収納家具装置はキャビネットに形成した副収納区画部に、棚体もしくは該副収納区画部を覆う開閉自在になる蓋体のいずれかもしくは両方を備えたものである。
【００２３】
そして、前記の副収納区画部に蓋体があることにより、該区画部の防塵は完全なものとなり、また棚体を具備することにより収納性は好適なものとなる。
【００２４】
本発明の請求項７にかかる収納家具装置はキャビネットに形成した副収納区画部に、棒状体の物品懸垂掛け具を備えたものである。
【００２５】
そして、副収納区画部に物品懸垂掛け具を備えることにより、主たる収納区画部と異なる種類の物品を取り出し作業性良好に収納が可能になるとともに、調理道具などの乾燥にも利用でき、また掛け具が収納キャビネット内に隠蔽されるので、外観上の見栄えが良好となる。
【００２６】
本発明の請求項８にかかる収納家具装置はキャビネットに形成した副収納区画部に設けた出し入れ自在になる略箱体の収納容器体もしくは機器装置の支持基部は、開動作時に、所定の動作範囲にあって制動されてなるか、もしくは、開あるいは閉動作時に、所定の動作範囲にあって付勢制御される可動機構を備えたものである。
【００２７】
そして、副収納区画部に備えた収納容器体もしくは機器装置に対して、使用時と格納時の間で可動する場合に急激な操作を行っても、制動作用により収納物品あるいは機器装置の緩衝保護が可能となり好適である。また、前記収納容器体もしくは機器装置が重量物である場合に、操作感が重くなることを軽減し、例えば、前記収納容器が昇降動作する場合などは、収納容器およびその可動機構の部材分の重量を補助付勢することにより、収納容器体を軽く持ち上げ格納することができ、極めて操作性に優れたものとなる。
【００２８】
本発明の請求項９にかかる収納家具装置は、キャビネットに形成した副収納区画部に設けた出し入れ自在になる略箱体の収納容器体もしくは機器装置の支持基部が、閉成時にラッチ係止されるものである。
【００２９】
そして、副収納区画部に備えた収納容器体もしくは機器装置がラッチ機構により格納位置で保持されており、恣意的な操作のみにより開放動作可能となるので、主たる収納区画部への収納ラック体の出し入れ作業時等に、副収納区画部の収納容器体もしくは機器装置が、不用意に作動することなく好適である。
【００３０】
【実施例】
以下、本発明の実施例について図面を用いて説明する。
【００３１】
（実施例１）
図１は、本発明の実施例１の昇降式収納装置を組み込み、副収納区画部となる物品収納容器が平行昇降動作してなる収納家具装置を、前方下方から見上げた外観斜視図、図２は同収納家具装置の一部部品を除外した前面上方からの内部外観斜視図、図３は、同収納家具装置全体の要部縦断面図、図４は、同収納家具装置の副収納区画部の詳細断面図、図５は、該副収納区画部の要部横断面図、図６は、該副収納区画部の分解斜視図である。
【００３２】
図１〜６において、キャビネット２１およびその扉体２２の内部に設けられた物品収納装置の収納ラック体２３は、これを自由端部に支持して垂直方向の回動動作によって、収納ラック体２３を使用位置と格納位置間で可動昇降させる２本の支持アーム２４よりなる一対の平行リンク機構２５に支持されている。
【００３３】
収納ラック体２３は、前記の支持ア−ム２４により枢支された左右一対の略平板状の側板部２３ａと、底部から背部に到る略Ｌ形の単一板金部材により形成された本体部２３ｂを締結組み合わせし、その内部には、前面部に立ち上がり部を有した略平板網棚状の収納棚２３ｃと、この収納棚２３ｃの前面に物品落下防止用のガード体２３ｄおよび前記主要部２３ｂの前面部ガード体２３ｅと、収納ラック体２３の左右方向の剛性を高めるための線材からなる補強連結部材２６と、さらに前面下部には、管状部材で形成したハンドル部２７を左右両側板２３ａ間で固定して構成されている。
【００３４】
また、平行リンク機構２５の固定端側は、収納ラック体２３の急激な下降動作を緩衝するダンパ−機構（図示せず）および、収納ラック体２３を上昇動作させる場合に、身体負荷を軽減させる目的でバネによる付勢機構（図示せず）が基台ケ−ス２８に内蔵されている。
【００３５】
さらに、図２、３に示すように、収納ラック体２３が格納状態にあって、収納ラック体２３の下方とキャビネット２１の底面２１ａとの間には、キャビネット底面２１ａ外側からキャビネット２１内側に向けて凹陥し、キャビネット底面２１ａに開放面を有する副収納区画部２９が略函体に形成されている。該副収納区画部２９には、図１あるいは３に示すキャビネット幅方向に対峙する左右一対の平行リンク機構３０を介して、略直方体の上面を開放した浅い箱形状の物品収納容器体３１が副収納区画部２９に懸架されている。該平行リンク機構３０は、図４、５に示すように、一対の支持ア−ム３２、３３の自由端側３２ａ、３３ａを前記収納容器３１に遊動自在に係止し、該支持ア−ム３２の固定端側軸３２ｂは、副収納区画部２９の側部２９ａに固定係止した回転式ダンパー３４の回転制動作動軸３４ａに一体的に嵌着固定されている。また前記支持ア−ム３３の固定端側軸３３ｂ寄りに設けたピン軸３３ｃと、同じく前記副収納区画部２９の側部２９ａに設けたピン軸２９ｂとの間に付勢引っ張りばね３５が遊嵌具備されている。一方、収納容器体３１の左右方向端部には、各々、レバ−体３６が軸３６ａ周りに弦巻ばね３７を介して、収納容器体３１の底面を一部開放として左右２箇所の凹状に成る手掛かり部３１ａに軸枢支されている。前記の弦巻ばね３７は、固定端を収納容器体３１に当接させ、作動側自由端を前記レバ−体３６に当接している。さらにこのレバ−体３６は、上部にフック部３６ｂを有し、収納容器体３１が格納状態にある場合に、フック部３６ｂは、副収納部２９の天面の２箇所のいずれかの開口２９ｃ上方に貫入係止可能である。また、図６に示すように、副収納区画部２９は、薄板材の折り曲げ形成になる前記側部２９ａを左右一対備と、金属もしくは樹脂により前面および背面と天面が一体的に長手方向同一断面に押出し成型された本体部２９ｄにより各々ねじ３８で締結固定組み立てされ、キャビネット２１の底面開口２１ｂより上方に挿入し、副収納区画部１９の開放側周囲にて、ねじ３９でキャビネット２１に固定されている。
【００３６】
次に動作、作用について説明すると、主たる収納区画となる昇降式収納装置の収納ラック体２３は、キャビネット２１の扉体２２を開き、この収納ラック体２３の格納位置から手前下方の使用位置との間で引き降ろし持ち上げ操作することにより、左右一対の平行リンク機構２５に軸枢支された支持ア−ム２４を回転半径として昇降動作する。一方、副収納区画部２９は、前記左右一対の平行リンク機構２５を備える左右の基台ケ−ス２８間にあって、かつ前記収納ラック体２３下方の昇降動作軌跡の範囲外に配置されており、言わば、昇降式収納装置のデッドスペ−スを利用しておりコンパクトに収納空間が増やすことができ利便性が高まり、また、主たる収納区画となる昇降式収納装置の機構構造に一切変更を加えることなく副収納区画部２９が構成でき生産性が向上する。
【００３７】
副収納区画部２９に懸架された収納容器体３１は、これが格納された位置で、収納容器体３１底面の左右にある手掛かり部３１ａ内のレバ−体３６を引くと、レバ−体３６が軸３６ａ回りに少許角度回転し、フック部３６ｂと副収納区画部２９の天面開口２９ｃとの係合が外れ、収納容器体３１は垂直下方に降下動作可能となる。収納容器体３１は、副収納区画部２９の左右幅方向端部に設けた一対の平行リンク機構３０に懸垂支持され、支持ア−ム３２、３３の回転半径に沿って収納容器体３１は、水平姿勢を維持した状態で昇降動作することができる。この時、支持ア−ム３２の回転軸３２ｂに一体に嵌着された回転式ダンパ−３４の作用により、支持ア−ム３２の急動作が抑制され、また、支持ア−ム３３と副収納区画部２９の側部２９ａ間に設けた付勢引っ張りばね３５が伸びることにより支持ア−ム３３ひいては平行リンク３０の降下動作はなお一艘緩衝制御される。さらに、収納容器体３１および収納容器体３１への収納物品の重量の一部は、前記付勢引っ張りばね３５の張力により見かけ上軽減される効果を有し、収納容器体３１の持ち上げ動作のときに、操作力を軽減させる効果がある。さらに、収納容器体３１を副収納区画部２９に格納する場合は、そのまま収納容器体３１を押し上げるが、この時、レバ−体３６のフック部３６ｂは、副収納区画部２９の天面開口部２９ｃを貫通通過する際に、レバ−体３６がいったん倒れ動作し、さらに弦巻ばねの作用により、フック部３６ｂが前記開口部２９ｃを通過後、自動的にレバ−体３６を垂直状態に戻す動作がなされ、フック部３６ｂと開口部２９ｃが係合し、収納容器体３１を格納位置で保持することができる。
【００３８】
以上のように、収納容器体３１に納められた物品は、主たる収納区画とは別に独立して、上方格納位置と下方手前の使用位置の間で水平姿勢を維持しつつ自在に昇降し、降下時の制動および持ち上げ時の付勢により楽な操作で、収納物が崩れることなく収納ができ、かつ、より下位置で収納取り出しができ作業性が優れたものとなるうえ、収納ラック体３１が格納された状態では、キャビネット２１の底面と面一になり外観性も良好である。
【００３９】
なお、回転式ダンパ−の制動特性あるいは引っ張りばねのばね定数を変更することにより、収納容器体３１の幅違いあるいは収納物品の種類違いに対応して、最適な昇降動作を得ることができる。
【００４０】
一方、副収納区画部２９は、左右一対の側部２９ａと左右幅方向に押出し成型された本体部２９ｄにより構成されているので、本体部２９ｄの長さを適宜選択するだけで、副収納区画部２９の幅が自由に選択製作可能であり、さらに側部２９ａを左右入替して本体部２９ｄとねじにより締結固定することにより、収納容器体３１は、図４と比して幅方向にて左右逆位置の構成となり、本体部２９ｄの天面に設けられた２箇所の開口２９ｃの一方にフック部３６ｂが係合することと併せて、格納位置からキャビネット２１の背面側下方へ昇降動作させることが可能である。
【００４１】
さらに、副収納区画部２９全体とキャビネット２１とは、キャビネット２１の底面にねじで締結固定しているので、この取り付け関係を前後左右入れ替えることも可能であり、これにより収納容器体３１は、前記同様に格納位置からキャビネット２１の背面側下方へ昇降動作させることができる。
【００４２】
以上、収納容器体３１の動作方向の変更は、キャビネット２１の背面側が使用位置となる例えば対面キッチンなどに対して、本収納家具装置の効果を発揮でき、より好適である。
【００４３】
なお、本実施例では、収納容器体３１を函状の容器体としたが、例えば平盆状として、降下位置での物品仮載せ台とすることも可能である。
【００４４】
（実施例２）
図７は、本発明の実施例１の昇降式収納装置を組み込み、副収納区画部に照明器具装置を組み込んだ収納家具装置を、前方下方から見上げた外観斜視図である。本実施例２において、実施例１と異なる点は、副収納区画部２９に照明器具装置を固定設置していることである。
【００４５】
収納ラック体２３が格納状態にあって、収納ラック体２３の下方とキャビネット２１の底面２１ａとの間には、キャビネット底面２１ａ外側からキャビネット２１内側に向けて凹陥し、キャビネット底面２１ａに開放面を有する副収納区画部２９が略函体に形成され、該副収納区画部２９は、薄板材の折り曲げ形成になる前記側部２９ａを左右一対備と、金属もしくは樹脂により前面および背面と天面が一体的に長手方向同一断面に押出し成型された本体部２９ｄにより各々ねじ３８で締結固定組み立てされ、キャビネット２１の底面開口２１ｂより上方に挿入し、副収納区画部１９の開放側周囲にて、ねじ３９でキャビネット２１に固定されている。
【００４６】
一方、照明器具装置４０は、点灯管４０ａおよびこの電気回路の開閉制御装置（図示せず）あるいは反射体カバ−体（図示せず）を単一の外郭体４０ｂに組み込んだ器具ユニットに構成され、該器具ユニットの天面を、副収納区画部２９の本体部２９ｄの天面に締結固定している。
【００４７】
なお、実施例１と同一符号のものは同一構造を有し、説明は省略する。
【００４８】
次に動作、作用を説明すると、副収納区画部２９は、前記左右一対の平行リンク機構２５を備える左右の基台ケ−ス２８間にあって、かつ前記収納ラック２３下方の昇降動作軌跡の範囲外に配置されており、言わば、昇降式収納装置のデッドスペ−スを利用してコンパクトに照明器具装置４０を設置しており、空間利用性が高く、また照明器具装置４０がキャビネット２１の底面から突出することなく外観性は良好であり、さらに主たる収納区画となる昇降式収納装置の機構構造に一切変更を加えることなく副収納区画部２９が構成でき生産性が向上する。
【００４９】
なお、本実施例では、単一の独立した照明器具装置４０を副収納区画部２９に組み込んでいるが、複数の独立した照明器具ユニット、あるいは、点灯管・点灯用電気回路ユニット・点灯管カバ−体等の照明器具ユニット用部品を直接副収納区画部に組み込みセ−ドとなるカバ−体を取り付けてもよく、この場合、副収納区画部２９自体を白色塗装した板金部品等で構成すると、点灯管の集光反射機能を有するのでより好適である。
【００５０】
（実施例３）
図８は、本発明の実施例１の昇降式収納装置を組み込み、副収納区画部となる物品収納容器が垂直方向に回動動作してなる収納家具装置を前方下方から見上げた外観斜視図、図９は同収納家具装置全体の要部縦断面図、図１０は、同収納家具装置の副収納区画部の詳細断面図である。本実施例３において、実施例１〜２と異なる点は、副収納区画部に設けた物品収納容器が枢支軸周りに、水平状態から鉛直下方後傾状態まで回動して開閉する機構を備えていることである。
【００５１】
昇降式収納ラック体２３および平行リンク機構２５を組み込んだキャビネット４１は、図９に示すようにキャビネット４１の背面側底面が一段上方に位置した形態にて収納ラック体２３の下方に位置する副収納区画部４２の天面部４２ａ、左右一対の平行リンク機構２５間にあって副収納区画部４２の左右方向両端に一対の側部４２ｂ、副収納区画部４２の前面部４２ｃとにより、キャビネット４１の底面後方の稜部が下方と背面に開放した副収納区画部４２を構成している。一方、収納容器体４３全体は、略長方体の上面を開放した浅い箱形状とし、２分別された物品収納区画４３ａ、４３ｂを備え、いずれの区画も手前側に断面がＬ字を成す壁部４３ｄ、４４ｅを構成し、さらに収納容器体４３の左右両端部４３ｆと副収納区画部４２の側部４２ｂとの間で、キャビネット４１の後方底近傍位置に設けた枢支軸４３ｇを介して、副収納区画部４２に懸架されている。また、収納容器体４３の両端部４３ｆの外面には、前記枢支軸４３ｇと同心に約９０°の円弧状に所定幅を有した歯型部４３ｈが、収納容器体４３の側壁に一体的に成形されており、これに相対して回転式ダンパ−４４は、前記の歯型部４３ｈに嵌合して回転式ダンパ−４４の作動軸４４ａ周りに同一歯型を有した平歯車４４ｂを有して、副収納区画部４２の側部４２ｂに設けられている。なお前記歯型部４３ｈの終端の一方は、歯丈を高く形成したストッパ−部４３ｉを設けている。収納容器体４３の前方手前側には、レバ−体４５が軸４５ａ周りに弦巻ばね４６を介して、収納容器体４３の左右方向中央に位置する底面を一部開放として凹状に成る手掛かり部４３ｊに軸枢支されている。前記の弦巻ばね４６は、固定端を収納容器体４３に当接させ、作動側自由端を前記レバ−体４５に当接している。さらにこのレバ−体４５は、上部にフック部４５ｂを有し、収納容器体４３が格納状態にある場合に、フック部４５ｂに相対してこれを係止可能な形状に絞り加工により凹陥形成したフック受け部４２ｄを副収納区画部４２の前面部４２ｃに設けている。
【００５２】
なお、実施例１と同一符号のものは同一構造を有し、説明は省略する。
【００５３】
次に動作、作用を説明すると、副収納区画部２９は、主たる収納区画である昇降式収納装置のデッドスペ−スを利用しておりコンパクトに収納空間が増やすことができ利便性が高まり、また、主たる収納区画となる昇降式収納装置の機構構造に一切変更を加えることなく副収納区画部２９が構成でき生産性が向上する。
【００５４】
一方、収納容器体４３は、副収納区画部４２への格納状態で水平状態を維持し、この時、収納容器体４３の手掛かり部４３ｊにてレバ−体４５を手前に引くとレバ−体４５は軸４５ａ周りに少許角度倒れ、フック部４５ｂとフック受け部４２ｃの係合が外れ、収納容器体４３は枢支軸４３ｇ周りに回動降下する。この動作中に、収納容器体４３の歯型部４３ｈは、回転式ダンパ−４４の軸４４ａ周りに平歯車４４ｂと噛合回転させることで回転式ダンパ−の制動作用を得て、収納容器体４３は緩衝制御を受けながら降下する。さらに、前記の歯型部４３ｈの終端ストッパ−部４３ｉで、前記の平歯車４４ｂとの噛合が抑止され、収納容器体４３は、水平状態からα°キャビネット４１の後方に向けた鉛直下方で傾斜姿勢状態にて停止する。
【００５５】
収納容器体４３に収納された物品は、収納容器体４３に設けた２つの区画部４３ａ、ｂにより分別整理され、さらに手前側の壁部４３ｄ．ｅは、収納容器体４３の降下位置での収納物品の前倒れ飛び出し防止のガ−ド機能を有しており、本実施例の様に、収納容器体４３が水平姿勢から略垂直姿勢に動作するものにあってはより好適である。
【００５６】
以上により、副収納区画部４２に収納された物品は、収納容器体４３の格納位置では、キャビネット４１の底面に内蔵されており外観性も優れ、収納容器体４３の降下位置では、下方手前に開成し取り出し性が良好なものとなり、かつ主たる収納区画の収納とは独立して出し入れ可能であり利便性に優れたものとなる。
【００５７】
また、本実施例では、物品の収納として収納容器体４３を副収納区画部４２に具備したが、例えば映像音響装置を収納容器体の代りに懸架し、下方開成角度αを９０°以上とすれば、映像音響装置を快適に視聴可能であると共にコンパクトに格納でき、例えば厨房室等では、吊戸棚下で料理番組を視聴しながら調理作業ができるなど、利便性は極めて良好である。
【００５８】
（実施例４）
図１１は、本発明の実施例１の昇降式収納装置を組み込み、副収納区画部となる物品収納容器が垂直方向に回動動作してなる収納家具装置全体の要部縦断面図である。本実施例４において、実施例３と異なる点は、物品収納容器の回動軸がキャビネットの前方底近傍寄りに配されており、物品収納容器が、後方に向かって開成する構成としていることである。
【００５９】
昇降式収納ラック体２３および平行リンク機構２５を組み込んだ収納キャビネット４１は、図１２に示すようにキャビネット４１の背面側底面が一段上方に位置した形態にて収納ラック体２３の下方に位置する副収納区画部４２の天面部４２ａ、左右一対の平行リンク機構２５間にあって副収納区画部４２の左右方向両端に一対の側部４２ｂ、副収納区画部４２の前面部４２ｃとさらに背面部４２ｅにより、キャビネット４１の底面後方が下方に開放した副収納区画部４２を構収している。さらに、該背面部４２ｅには、収納容器体４３が格納状態にある場合に、収納容器体４３のレバ−体４５に設けたフック部４５ｂに相対してこれを係止可能な形状に絞り加工により凹陥形成したフック受け部４２ｆを設けている。
【００６０】
なお、実施例４と同一符号のものは同一構造を有し、説明は省略する。
【００６１】
次に動作、作用を説明すると、実施例３と同様に、副収納区画部４２の収納容器体４３は、水平状態からα°キャビネット４１の前方に向けた鉛直下方で傾斜姿勢状態にて停止する。
【００６２】
この場合、収納容器体４３の動作方向は、キャビネット４１の背面側が使用位置となる例えば対面キッチンなどに対して、本収納家具装置の効果を発揮でき、より好適である。
【００６３】
（実施例５）
図１２は、本発明の実施例１の昇降式収納装置を組み込み、副収納区画部となる物品収納容器が水平方向にスライド動作しかつ垂直下方に回動開成してなる収納家具装置を背面上方から見下ろした外観斜視図、図１３は同収納家具装置全体の要部縦断面図である。
【００６４】
本実施例５において、実施例１〜４と異なる点は、副収納区画部に設けた物品収納容器がキャビネット内に複数個設けられ、いずれもがキャビネット後方へ向けて水平摺動した後、下方に回動開成する機構を備えていることである。
【００６５】
図１２、１３において、キャビネット４１は底部後方から背面下部にかけて開放面となる副収納区画部４７は、キャビネット４１のほぼ中央部に収納区画部４７を２分する仕切板４７ａを有して構成されている。一方、引き出し状の物品収納容器体４８は、前記の２つの副収納区画部４７にそれぞれ並列具備され、収納容器体４８の両側面には、レ−ル４９が一対備わり、該レ−ル４９の最後端にはロ−ラ４９ａを備え、このレ−ル４９に相対嵌着して、副収納区画部４７の側面および仕切板４７ａの側面にガイドレ−ル５０が設けられ、さらに該ガイドレ−ル５０の最前端にはロ−ラ−５０ａを備えている。収納容器体４８は、容器体前面部から天面部前方にかけてＬ字状に覆う形状に前板部４８ａが形成され、容器体側板４８ｂ、底板４８ｃ、後板４８ｄにより箱体に構成されており、さらに底板４８ｃの前方寄りは、少許の段差部を有し、前板４８ａの下方と挟む形状にて凹陥部を形成し手掛かり部４８ｅを形成している。
【００６６】
なお、実施例１〜４と同一符号のものは同一構造を有し、説明は省略する。
【００６７】
次に動作、作用を説明すると、副収納区画部４７は、主たる収納区画である昇降式収納装置のデッドスペ−スを利用しておりコンパクトに収納空間が増やすことができ利便性が高まり、また、主たる収納区画となる昇降式収納装置の機構構造に一切変更を加えることなく副収納区画部４７が構成でき生産性が向上する。
【００６８】
一方、収納容器体４８は引き出し操作により、レ−ル４９とガイドレ−ル５０の係合を維持しキャビネット４１の背面側に引き出され、さらにロ−ラ４９ａ、５０ａの係合により収納容器体４８は下方に傾斜開成する。
【００６９】
以上により、副収納区画部４７に収納された物品は、収納容器体４８の格納位置では、キャビネット４１の底面に内蔵されており外観性も優れ、収納容器体４８の引き出しおよび降下開成位置では、取り出し性が良好なものとなり、かつ主たる収納区画の収納とは独立して出し入れ可能であり利便性に優れたものとなる。この場合、収納容器体４８の動作方向は、キャビネット４１の背面側が使用位置となる例えば対面キッチンなどに対して、本収納家具装置の効果を発揮でき、より好適である。
【００７０】
なお、本実施例では、副収納区画部４７に引き出し状の収納容器体４８を２組設けたが、仕切体４７ａを境に、例えば実施例３に示す回動開閉する収納容器体と併用具備してもよい。
【００７１】
（実施例６）
図１４は本発明の実施例３に構成される副収納区画部に物品吊下げ具を備えた収納家具装置と、実施例３になる収納家具装置が並列に設置された状態を、背面下方から見上げた外観斜視図である。
【００７２】
本実施例６において、実施例１あるいは３、５と異なる点は、副収納区画部に物品吊下げ用のハンガ−パイプ体を設けたことと、本発明になる副収納区画部を有する収納家具装置を複数並列に設置していることである。
【００７３】
キャビネット４１の底面後方と背面下方を開放して形成した副収納区画部５１の両側部５１ａにて、キャビネット４１の左右幅方向に平行して水平に円形断面を有するハンガ−パイプ体５２を２列固定している。一方、このキャビネット４１に隣接して、実施例３と同様構造を有し、副収納区画部４２がキャビネット４１底面後方と背面下方に開放し物品収納容器体４３が下方に回動開閉する収納家具装置を設置している。隣接する２つの副収納区画部４２および５２は、底面開放部のキャビネット４１前面からの奥行き方向位置Ａおよび奥行き寸法Ｂが同一に形成されている。
【００７４】
なお、実施例１〜５と同一符号のものは同一構造を有し、説明は省略する。
【００７５】
次に動作、作用を説明すると、吊り具５３を介してフライパン５４等の収納物品は、副収納区画部５１のハンガ−パイプ体５２に懸垂され、例えば水切り、収納に効率的かつ空間を有効利用可能とする。また、ハンガ−パイプ体５２は、副収納区画部５１内にあり、キャビネット４１の底面から下方に突出していないので、物品を懸垂しない場合でも、外観性はすっきりとし良好である。
さらに、副収納区画部４２、５１は、物品収納の形態が異なるにもかかわらず、両区画部の寸法モジュ−ルが統一されているため、キャビネット下方からの外観デザイン性に統一感を附加しており、より好適である。
【００７６】
（実施例７）
図１５は本発明の実施例１の昇降式収納装置を組み込み、副収納区画部が物品収納キャビネットの側面の設けられた収納家具装置の前方上方から見下ろした外観斜視図である。
【００７７】
本実施例７において、実施例１〜６と異なる点は、副収納区画部をキャビネット側面に配設していることである。
【００７８】
図１５に示すキャビネット５５は、内部に収納ラック体２３、これを自由端側に支持する支持ア−ム２４よりなる平行リンク機構２５を回動自在に固定する基台ケ−ス２８を有し、キャビネット５５の側板上方にあって、前記基台ケ−ス２８の上方に、キャビネット５５の側外面より函状に凹陥形成した副収納区画部５６を設けている。該副収納区画部５６は、その函体５６ａ内部に２段の棚体５７を有し、副収納区画部５６の外面には、一軸周りに開閉する扉体５８を設け、この扉体５８の閉成時に保持するキャッチ体５９を副収納区画部函体５６ａに、前記キャッチ体の受け５９ａを前記の扉体５８の裏面に設けている。
【００７９】
なお、実施例１〜６と同一符号のものは同一構造を有し、説明は省略する。
【００８０】
次に動作、作用を説明すると、主たる収納区画となる昇降式収納装置の左右一対の平行リンク機構２５を備える左右の基台ケ−ス２８上方にあって、かつ収納昇降式収納装置の収納ラック２３側方の昇降動作軌跡範囲外に配置されており、言わば、昇降式収納装置のデッドスペ−スを利用しておりコンパクトに収納空間が増やすことができ利便性が高まり、また、主たる収納区画となる昇降式収納装置の機構構造に一切変更を加えることなく副収納区画部５６が構成でき生産性が向上する。一方、副収納区画部５６には、棚体５７を備えさらに蓋体５８を有しているので、収納性に優れかつ物品の防塵性にも優れる。
【００８１】
この場合、副収納区画部５６がキャビネット５５の側方に位置するため、例えば、該キャビネットが一連に配列設置された家具装置の端部に位置する場合などに対して、本収納家具装置の効果を発揮でき、より好適である。
【００８２】
なお、本実施例では、副収納区画部５６をキャビネット５５の両側方に設けたが、片方の側方にのみ具備してもよく、さらに実施例１に示すキャビネット底部に設けた副収納区画部２９と併用しても構造的に何等の支障はなく、より収納容積が増大する。
【００８３】
なお、前記各実施例において、昇降式収納装置は、固定端をキャビネットに自由端を収納ラック体に担時した平行リンクにより収納ラック体が回動昇降動作する収納装置としたが、例えば、回転中心をキャビネットに回転自由端を両方に持つ回転ア−ムに収納ラック体を担時した収納装置とすることもできるものである。
【００８４】
【発明の効果】
以上説明したように本発明によれば、キャビネット内にあって収納ラック体を回動動作せしめるリンク機構部もしくは収納ラック体の動作軌跡範囲外に位置したデッドスペ−スを用いて、該キャビネットの外面から出し入れ収納可能な副収納区画部もしくは収納容器体を設けており、主たる収納区画部と併せて、収納容積が拡大するとともに、キャビネットの外観デザイン性を低下させることなく収納作業性が向上するという効果がある。
【図面の簡単な説明】
【図１】本発明の実施例１における収納家具装置の前面下方外観斜視図
【図２】同収納家具装置の内部外観斜視図
【図３】同収納家具装置全体の要部縦断面図
【図４】同収納家具装置の副収納区画部の詳細断面図
【図５】同収納家具装置の副収納区画部の要部横断面図
【図６】同収納家具装置の副収納区画部の分解斜視図
【図７】本発明の実施例２における収納家具装置の前面下方外観斜視図
【図８】本発明の実施例３における収納家具装置の前面下方外観斜視図
【図９】同収納家具装置全体の要部縦断面図
【図１０】同収納家具装置の副収納区画部の詳細断面図
【図１１】本発明の実施例４になる収納家具装置全体の要部縦断面図
【図１２】本発明の実施例５になる収納家具装置の背面上方外観斜視図
【図１３】同収納家具装置全体の要部縦断面図
【図１４】本発明の実施例６になる収納家具装置および実施例３になる収納家具装置を並列した背面下方外観斜視図
【図１５】本発明の実施例７になる収納家具装置の前方上方外観斜視図
【図１６】従来の昇降式収納装置を組み込んだ収納家具装置の要部縦断面図
【符号の説明】
２１、４１、５５  キャビネット
２３  収納ラック体
２９、４２、４７、５１、５６  副収納区画部
３１、４３、４８  収納容器体
５７  棚体
５８  蓋体
【図１】
2005034309.tif 000003
【図２】
2005034309.tif 000004
【図３】
2005034309.tif 000005
【図４】
2005034309.tif 000006
【図５】
2005034309.tif 000007
【図６】
2005034309.tif 000008
【図７】
2005034309.tif 000009
【図８】
2005034309.tif 000010
【図９】
2005034309.tif 000011
【図１０】
2005034309.tif 000012
【図１１】
2005034309.tif 000013
【図１２】
2005034309.tif 000014
【図１３】
2005034309.tif 000015
【図１４】
2005034309.tif 000016
【図１５】
2005034309.tif 000017
【図１６】
2005034309.tif 000018